(57)【要約】包装されたベッドリネンが、包装箱と包装箱内に配置された少なくとも１つのベッドリネンを含んでいる。包装箱は、背面パネル、４つの側面パネル、第１前面パネル、及び側面パネルの１つへ付着されている第２前面パネル、を有している。第２前面パネルは、それが付着されている側面パネルに対して折れるように構成されている。第１前面パネルは、包装箱が閉構成にあるときに包装箱の中に密閉される内部前面パネルである。第２前面パネルは外部前面パネルである。外部前面パネルは、包装箱が閉構成にあるときに側面パネルに隣接して位置する構成の外部側面パネルを含んでいて、閉構成にて外部側面パネルを隣接する側面へ固定する付着装置を含んでいる。【選択図】図１
2019533611.tif 000002
【特許請求の範囲】
【請求項１】
包装箱であって、
背面パネル、
上側面パネル、
下側面パネル、
第１横側面パネル、
第２横側面パネル、
第１前面パネル、及び、
自身の縁を前記第１横側面パネルと前記第２横側面パネルのうちの一方の縁へ付着されていてそれに対して折れるように構成されている第２前面パネル、を含み、
前記第１前面パネルは、前記包装箱が閉構成にあるときに前記包装箱の中に密閉される内部前面パネルとなる大きさ及び構成であり、前記第２前面パネルは、前記包装箱が前記閉構成にあるときに前記包装箱の外部に露出する外部前面パネルとなる大きさ及び構成であり、前記外部前面パネルは、前記包装箱が前記閉構成にあるときに前記第１横側面パネルと前記第２横側面パネルのうちの一方に隣接して位置する構成の外部側面パネルを更に含んでおり、前記外部側面パネルは、前記包装箱が前記閉構成にあるときに前記外部側面パネルを前記第１横側面パネルと前記第２横側面パネルのうちの前記隣接する一方へ固定する少なくとも１つの付着装置を含んでいる、包装箱と、
前記包装箱内に配置されている少なくとも１つのベッドリネンと、
を備えている包装されたベッドリネン。
【請求項２】
請求項１に記載の包装されたベッドリネンにおいて、前記第１横側面パネルと前記第２横側面パネルのうちの前記隣接する一方は、前記包装箱が前記閉構成にあるときに前記外部側面パネルの前記少なくとも１つの付着装置へ引き付けられるか又は連結されるように位置付けられ構成されている少なくとも１つの追加の付着装置を備えている、包装されたベッドリネン。
【請求項３】
請求項２に記載の包装されたベッドリネンにおいて、前記少なくとも１つの付着装置か又は前記少なくとも１つの追加の付着装置の少なくとも一方は永久磁石を備えている、包装されたベッドリネン。
【請求項４】
請求項２に記載の包装されたベッドリネンにおいて、前記少なくとも１つの付着装置はフック・アンド・ループ材料の一方の構成要素を備え、前記少なくとも１つの追加の付着装置はフック・アンド・ループ材料のもう一方の構成要素を備えており、前記フック・アンド・ループ材料の構成要素は、前記包装箱が前記閉構成にあるときに互いへ付着されるように位置付けられ構成されている、包装されたベッドリネン。
【請求項５】
請求項２に記載の包装されたベッドリネンにおいて、前記少なくとも１つの付着装置はスナップ締結具の一方の構成要素を備え、前記少なくとも１つの追加の付着装置は前記スナップ締結具のもう一方の構成要素を備えており、前記スナップ締結具の前記構成要素は前記包装箱が前記閉構成にあるときに互いへ固定されるように位置付けられ構成されている、包装されたベッドリネン。
【請求項６】
請求項１から請求項５の何れか一項に記載の包装されたベッドリネンにおいて、前記内部前面パネルは、人が前記内部前面パネルを通して前記少なくとも１つのベッドリネンの布地に触れることを可能にするために貫通して延びている開口を有している、包装されたベッドリネン。
【請求項７】
請求項１から請求項５の何れか一項に記載の包装されたベッドリネンであって、前記内部前面パネルの外表面又は前記外部前面パネルの内表面へ固定されている、前記少なくとも１つのベッドリネンの布地と同一の布地の見本、を更に備えている包装されたベッドリネン。
【請求項８】
請求項１から請求項５の何れか一項に記載の包装されたベッドリネンにおいて、前記内部前面パネルは、前記包装箱が前記閉構成にあるときに前記第１横側面パネルと前記第２横側面パネルのうちの一方の内部側面に隣接して位置する構成の内部側面パネルを更に備えている、包装されたベッドリネン。
【請求項９】
請求項１から請求項５の何れか一項に記載の包装されたベッドリネンにおいて、少なくとも１つのベッドリネンは、フラットベッドシーツ、ボックス型ベッドシーツ（ｆｉｔｔｅｄ  ｂｅｄ  ｓｈｅｅｔ）、枕ケース、又はマットレスプロテクターのうちの少なくとも１つを備えている、包装されたベッドリネン。
【請求項１０】
請求項９に記載の包装されたベッドリネンにおいて、前記少なくとも１つのベッドリネンは、フラットベッドシーツ、ボックス型ベッドシーツ、及び１つ又は２つの枕ケースからなっている、包装されたベッドリネン。
【請求項１１】
請求項９に記載の包装されたベッドリネンにおいて、前記少なくとも１つのベッドリネンはマットレスプロテクターからなっている、包装されたベッドリネン。
【請求項１２】
包装箱を形成する段階であって、前記包装箱は、
背面パネル、
上側面パネル、
下側面パネル、
第１横側面パネル、
第２横側面パネル、
第１前面パネル、及び、
自身の縁を前記第１横側面パネルと前記第２横側面パネルのうちの一方の縁へ付着されそれに対して折れるように構成される第２前面パネル、を含み、
前記第１前面パネルは、前記包装箱が閉構成にあるときに前記包装箱の中に密閉される内部前面パネルとなる大きさ及び構成であり、前記第２前面パネルは、前記包装箱が前記閉構成にあるときに前記包装箱の外部に露出する外部前面パネルとなる大きさ及び構成であり、前記外部前面パネルは、前記包装箱が前記閉構成にあるときに前記第１横側面パネルと前記第２横側面パネルのうちの一方に隣接して位置する構成の外部側面パネルを更に含み、前記外部側面パネルは、前記包装箱が前記閉構成にあるときに前記外部側面パネルを前記第１横側面パネルと前記第２横側面パネルのうちの前記隣接する一方へ固定する少なくとも１つの付着装置を含む、包装箱を形成する段階と、
少なくとも１つのベッドリネンを、前記包装箱の前記背面パネル、前記上側面パネル、前記下側面パネル、前記第１横側面パネル、及び前記第２横側面パネルによって画定される空間内に配置する段階と、
前記内部前面パネルを、前記包装箱の中の前記少なくとも１つのベッドリネンを少なくとも部分的に覆うように位置決めする段階と、
前記外部前面パネルを、前記第１横側面パネルと前記第２横側面パネルのうちのそれが付着されている前記一方に対して、前記外部前面パネルが前記内部前面パネルに隣接して配置されるように折る段階と、
前記外部側面パネルを前記外部前面パネルに対して折り、前記外部側面パネルを前記第１横側面パネルと前記第２横側面パネルのうちの隣接する一方へ固定する段階と、
を備えている、ベッドリネンを包装する方法。
【請求項１３】
請求項１２に記載の方法において、前記第１横側面パネルと前記第２横側面パネルのうちの前記隣接する一方は少なくとも１つの追加の付着装置を備え、前記外部側面パネルを前記第１横側面パネルと前記第２横側面パネルのうちの前記隣接する一方へ固定する段階は、前記少なくとも１つの付着装置を前記少なくとも１つの追加の付着装置へ連結するか又は引き付ける段階を備えている、方法。
【請求項１４】
請求項１３に記載の方法であって、前記少なくとも１つの付着装置か又は前記少なくとも１つの追加の付着装置の少なくとも一方を、永久磁石を備えるように選択する段階、を更に備えている方法。
【請求項１５】
請求項１３に記載の方法であって、前記少なくとも１つの付着装置を、フック・アンド・ループ材料の一方の構成要素を備えるように選択し、前記少なくとも１つの追加の付着装置を、前記フック・アンド・ループ材料のもう一方の構成要素を備えるように選択する段階、を更に備えている方法。
【請求項１６】
請求項１３に記載の方法であって、前記少なくとも１つの付着装置を、スナップ締結具の一方の構成要素を備えるように選択し、前記少なくとも１つの追加の付着装置を、前記スナップ締結具のもう一方の構成要素を備えるように選択する段階、を更に備えている方法。
【請求項１７】
請求項１２から請求項１６の何れか一項に記載の方法であって、人が前記内部前面パネルを通して前記少なくとも１つのベッドリネンの布地に触れることを可能にするために前記内部前面パネルを貫通して延びる開口を形成する段階、を更に備えている方法。
【請求項１８】
請求項１２から請求項１６の何れか一項に記載の方法であって、前記少なくとも１つのベッドリネンの布地と同一の布地の見本を前記内部前面パネルの外表面へ固定する段階、を更に備えている方法。
【請求項１９】
実施形態１２から実施形態１６の何れか一項に記載の方法において、前記包装箱を形成する段階は、前記内部前面パネルを、前記包装箱が前記閉構成にあるときに前記第１横側面パネルと前記第２横側面パネルのうちの一方の内部側面に隣接して位置する構成の内部側面パネルを備えるように形成する段階を更に備えている、方法。
【請求項２０】
請求項１２から請求項１６の何れか一項に記載の方法において、前記少なくとも１つのベッドリネンを前記空間内に配置する段階は、フラットベッドシーツ、ボックス型ベッドシーツ、枕ケース、又はマットレスプロテクターのうちの少なくとも１つを前記空間内に配置する段階を備えている、方法。 
【発明の詳細な説明】
【技術分野】
【０００１】
（優先権の主張）
本願は、２０１６年１０月２５日出願の米国仮特許出願第１５／３３４，０９３号「ベッドリネン包装」（"Ｂｅｄ  Ｌｉｎｅｎ  Ｐａｃｋａｇｉｎｇ"）の出願日の恩典を主張する。
【０００２】
開示の実施形態は、概括的には、ボックス型シーツ（ｆｉｔｔｅｄ  ｓｈｅｅｔ）、フラットシーツ、枕ケース、及びマットレスプロテクターの様なベッドリネンのための包装に関する。
【背景技術】
【０００３】
ベッドシーツやマットレスプロテクターを含むベッドリネンのための包装は、潜在的購入者が包装の中のリネンを覗けるようにするために透明であるビニール若しくはビニールとカンバスのケースからなるのが一般的である。包装体の中には、ブランド確立、市場販売、及び製品に関する情報の掲載されたインサートが含まれている場合が多い。
【０００４】
ベッドリネンを構成する材料と同じ材料で作られた袋にベッドリネンを包装することも知られている。一部のベッドリネンは、折り畳まれたリネンの周りに巻かれた帯以外の包装の一切無い状態で売られており、帯にブランド確立、市場販売、及び製品に関する情報が含まれている。ベッドリネンは、標準的な矩形段ボール箱に包装されていることもある。
【先行技術文献】
【特許文献】
【０００５】
【特許文献１】米国仮特許出願第１５／３３４，０９３号
【発明の概要】
【０００６】
幾つかの実施形態では、本開示は包装されたベッドリネンを含む。包装されたベッドリネンは、包装箱内に配置された少なくとも１つのベッドリネンを備えている。包装箱は、背面パネル、上側面パネル、下側面パネル、第１横側面パネル、第２横側面パネル、第１前面パネル、及び、自身の縁を第１横側面パネルと第２横側面パネルのうちの一方の縁へ付着されていてそれに対して折れるように構成されている第２前面パネル、を含んでいる。
【０００７】
第１前面パネルは、包装箱が閉構成にあるときに包装箱の中に密閉される内部前面パネルとなる大きさ及び構成であってもよい。第２前面パネルは、包装箱が閉構成にあるときに包装箱の外部に露出する外部前面パネルとなる大きさ及び構成であってもよい。外部前面パネルは、更に、包装箱が閉構成にあるときに第１横側面パネルと第２横側面パネルのうちの一方に隣接して位置する構成の外部側面パネルを含んでいてもよい。外部側面パネルは、包装箱が閉構成にあるときに外部側面パネルを第１横側面パネルと第２横側面パネルのうちの隣接する一方へ固定する少なくとも１つの付着装置を含んでいてもよい。
【０００８】
追加の実施形態では、本開示はベッドリネンを包装するための方法を含む。その様な方法によれば、背面パネル、上側面パネル、下側面パネル、第１横側面パネル、第２横側面パネル、第１前面パネル、及び、自身の縁を第１横側面パネルと第２横側面パネルのうちの一方の縁へ付着されそれに対して折れるように構成される第２前面パネル、を含む包装箱が形成されることになる。第１前面パネルは、包装箱が閉構成にあるときに包装箱の中に密閉される内部前面パネルとなる大きさ及び構成とすることができる。第２前面パネルは、包装箱が閉構成にあるときに包装箱の外部に露出する外部前面パネルとなる大きさ及び構成とすることができる。外部前面パネルは、更に、包装箱が閉構成にあるときに第１横側面パネルと第２横側面パネルのうちの一方に隣接して位置する構成の外部側面パネルを含んでもよい。外部側面パネルは、包装箱が閉構成にあるときに外部側面パネルを第１横側面パネルと第２横側面パネルのうちの隣接する一方へ固定する少なくとも１つの付着装置を含む。
【０００９】
包装箱を形成した後、少なくとも１つのベッドリネンが、包装箱の背面パネル、上側面パネル、下側面パネル、第１横側面パネル、及び第２横側面パネルによって画定される空間内に配置されることになる。次いで、内部前面パネルが、包装箱内の少なくとも１つのベッドリネンを少なくとも部分的に覆うように位置決めされることになる。外部前面パネルが、第１横側面パネルと第２横側面パネルのうちのそれが付着されている一方に対して、外部前面パネルが内部前面パネルに隣接して配置されるように折られ、外部側面パネルが外部前面パネルに対して折られ、外部側面パネルが第１横側面パネルと第２横側面パネルのうちの隣接する一方へ固定されることになる。
【００１０】
明細書は、本発明の具現化と見なされるものを明細に指し示し明確に請求する特許請求の範囲で完結するが、開示の実施形態の様々な特徴及び利点は、次に続く例としての実施形態の説明が添付図面と関連付けて閲読されることで、より容易く解明されるであろう。
【図面の簡単な説明】
【００１１】
【図１】開構成にあるベッドリネン用包装箱の或る実施形態の斜視図である。
【図２Ａ】箱内部にベッドリネンがあり、内部前面パネルがベッドリネンに重ねて折られ、外部前面パネルが開構成にある状態の、図１の包装箱の斜視図である。
【図２Ｂ】箱内部にベッドリネンがあり、内部前面パネルがベッドリネンに重ねて折られ、外部前面パネルが開構成にある状態の、図１の包装箱の斜視図である。
【図３】図１、図２Ａ、及び図２Ｂの包装箱の中にベッドリネンを含んでいる包装されたベッドリネンの斜視図であり、包装箱は閉構成にある。
【図４】図３の包装されたベッドリネンの右側面図である。
【図５】図３及び図４の包装されたベッドリネンの左側面図である。
【図６】図３−図５の包装されたベッドリネンの上側面図である。
【図７】図３−図６の包装されたベッドリネンの下側面図である。
【発明を実施するための形態】
【００１２】
ここに提示されている描画は、何れかの特定の包装体又は包装されたベッドリネンの実際の図ではなく、本開示の実施形態を説明するために用いられる理想化された表現にすぎない。図同士の間で共通の要素は同じ符号を保有する。
【００１３】
図１は包装箱１００を描いている。包装箱１００は、背面パネル１０２、上側面パネル１０４、下側面パネル１０５、第１横側面パネル１０６、及び第２横側面パネル１０８を含んでいる。包装箱１００は、更に、一部の実施形態では自身の縁を第１横側面パネル１０６と第２横側面パネル１０８のうちの一方の縁へ付着されていてもよい第１前面パネル１１０、及び自身の縁を第１横側面パネル１０６と第２横側面パネル１０８のうちの他方の縁へ付着されている第２前面パネル１１２を含んでいる。非限定的な実施例として、図１に示されている様に、第１前面パネル１１０は第１側面パネル１０６へ付着され、第２前面パネル１１２は第２側面パネル１０８へ付着されていてもよい。
【００１４】
追加の実施形態では、第１前面パネル１１０は、箱１００のうちの他方のパネルから分離されているパネルであり単にそこに配置されているだけであってもよい。
【００１５】
第１前面パネル１１０及び第２前面パネル１１２は、それらがそれぞれ付着されている第１横側面パネル１０６及び第２横側面パネル１０８に対して折れるように構成されていてもよい。第１前面パネル１１０と第２前面パネル１１２のうちの一方は、包装箱１００が閉構成にあるときに包装箱１００の中に密閉される内部前面パネルとなる大きさ及び構成であり、第１前面パネル１１０と第２前面パネル１１２のうちの他方は、包装箱１００が閉構成にあるときに包装箱１００の外部に露出する外部前面パネルとなる大きさ及び構成であってもよい。例えば、図１に示されている実施形態では、第１前面パネル１１０が、包装箱１００が閉構成にあるときに包装箱１００の中に密閉される内部前面パネルとなる大きさ及び構成であり、第２前面パネル１１２が、包装箱１００が閉構成にあるときに包装箱１００の外部に露出する外部前面パネルとなる大きさ及び構成であってもよい。
【００１６】
外部前面パネル１１２は、更に、以下に図５−図７を参照して説明されている様に、包装箱１００が閉構成にあるときに第１横側面パネル１０６に隣接して位置する構成の外部側面パネル１１４を含んでいる。外部側面パネル１１４は、図３−図７に示されている様に、包装箱１００が閉位置にあるときに外部側面パネル１１４を隣接する第１横側面パネル１０６へ固定する少なくとも１つの付着装置１１６を含んでいる。
【００１７】
包装箱１００の様々なパネルは、段ボール、複合繊維板材料、又はポリマー（例えばプラスチック）材料の様な比較的堅い材料で形成されていてもよく、及びその様な比較的堅い材料を備えていてもよい。他の比較的堅い材料が採用されてもよい。
【００１８】
幾つかの実施形態では、図２Ｂに示されている様に、複数の追加の付着装置１１６'が第１横側面パネル１０６上又は内に配置されていて、付着装置１１６と追加の付着装置１１６'は互いに相補であって互いに近づけられると一体に結着するか又は付着するように構成されていてもよい。
【００１９】
非限定的な実施例として、付着装置１１６及び／又は追加の付着装置１１６'は永久磁石を備えていてもよい。例えば、付着装置１１６と追加の付着装置１１６'が永久磁石を備えているというのであってもよい。別の実施例として、付着装置１１６は永久磁石を備え、追加の付着装置１１６'は鉄材料又は磁石が引き付けられる別の材料を備えているというのであってもよい。更に別の実施形態では、付着装置１１６は鉄材料又は磁石が引き付けられる別の材料を備え、追加の付着装置１１６'が永久磁石を備えていてもよい。その様な実施形態では、箱１００が図３−図７の閉構成にあるとき、付着装置１１６と追加の付着装置１１６'の間の磁力は外部側面パネル１１４を第１横側面パネル１０６に当てて保持することができる。
【００２０】
他の実施形態では、箱１００が閉構成にあるときに外部側面パネル１１４を第１横側面パネル１０６に当てて固定するのにフック・アンド・ループ材料（例えばＶＥＬＣＲＯ（登録商標））が使用されてもよい。例えば、付着装置１１６が、フック・アンド・ループ材料の一方の構成要素（例えばフック材料）を備え、追加の付着装置１１６'がフック・アンド・ループ材料のもう一方の構成要素（例えばループ材料）を備えていてもよい。フック・アンド・ループ材料の構成要素は、包装箱１００が閉構成にあるときに互いへ付着されるように位置付けられ構成されることができる。
【００２１】
更に別の実施形態では、箱１００が閉構成にあるときに外部側面パネル１１４を第１横側面パネル１０６に当てて固定するのにスナップ締結具が使用されてもよい。例えば、付着装置１１６のそれぞれがスナップ締結具の一方の構成要素を備え、追加の付着装置１１６'のそれぞれがスナップ締結具のもう一方の構成要素を備えていてもよい。スナップ締結具の構成要素は、包装箱１００が閉構成にあるときに互いへ付着されるように位置付けられ構成されることができる。
【００２２】
何れかの他の種類の締結具又は締結用材料が付着装置１１６及び／又は付着装置１１６'として採用されてもよい。また、図には３つの付着装置１１６及び３つの追加の付着装置１１６'が描かれているが、本開示の他の実施形態では何れの数（例えば０、１、２、４、など）の付着装置１１６及び／又は追加の付着装置１１６'が採用されていてもよい。
【００２３】
外部前面パネル１１２、外部側面パネル１１４、及び付着装置１１６、１１６'は、端正な外観と触感を維持することを支援し、包装１００が移送中に傷つかないように確実に外部前面パネルを保持するのみならず、顧客が包装体１００の見本区域に容易にアクセスできるようにするので、顧客は中に収容されているベッドリネン製品を体験することができるわけであり、それはベッドリネンを買う際の重要な体験である。
【００２４】
幾つかの実施形態では、内側の第１前面パネル１１０は、内側の第１前面パネル１１０に対して折られ箱１００の中で第２横側面パネル１０８に隣接して配置されることになる内部側面パネル１１８を含んでいてもよい。内部側面パネル１１８は、ベッドリネン１２２を箱１００の中で内部前面パネル１１０の下に確実に維持するのを支援することができる。
【００２５】
図１、図２Ａ、及び図２Ｂに示されている様に、内部前面パネル１１０は、人が内部前面パネル１１０を通してベッドリネン１２２の布地に触れることを可能にするために貫通して延びている開口１１１を含んでいてもよい。これは、潜在的顧客が店内で包装されたベッドリネン１２０を購入する前に包装箱１００を完全に開くことも包装箱１００を傷つけることもなくベッドリネン１２２の布地の触感を確かめられるようにする。随意的には、潜在的顧客がベッドリネン１２２の布地を他の競合する商業的に入手可能なベッドリネンの布地と比較できるようにするために、他の競合ベッドリネンの布地の比較見本が含まれるようにしてもよい。
【００２６】
他の実施形態では、内部前面パネル１１０はその様な開口１１１を含んでいなくてもよい。その様な実施形態では、ベッドリネン１２２の布地と同一の布地の見本が内部前面パネル１１０の外表面へ及び／又は外部前面パネル１１２の内表面へ固定されていて、潜在的顧客が包装箱１００を完全に開くことも包装箱１００を傷つけることもなく外部前面パネル１１２を開けば布地の見本の触感を確かめられるようになっていてもよい。布地の見本は、内部前面パネル１１０及び／又は外部前面パネル１１０の相対的に堅い材料へしっかり接着され又は締結されている布地の（単数又は複数の）見本用小切れの形態をしていてもよい。
【００２７】
ベッドリネン１２２は、フラットベッドシーツ、ボックス型ベッドシーツ、枕ケース、又はマットレスプロテクターの１つ又はそれ以上を備えていてもよい。一部の非限定的な実施形態では、ベッドリネン１２２は、フラットベッドシーツ、ボックス型ベッドシーツ、及び１つ又は２つの枕ケースからなるベッドシーツのセットであってもよい。他の非限定的な実施形態では、ベッドリネン１２２は単一のマットレスプロテクターであってもよい。
【００２８】
包装されたベッドリネン１２０は、ベッドリネン１２２を包装箱１００の中に設置し、内部前面パネル１１０をリネン１２２に重ねて折って図２Ａ及び図２Ｂに示されている構造を形成し、次いで外部前面パネル１１２を内部前面パネル１１０に重ねて折って図３−図７に示されている包装されたベッドリネン１２０を形成することによって、形成されることができる。より詳しくは、包装箱１００が上述のように形成されることになる。包装箱１００を形成した後、少なくとも１つのベッドリネン１２２が、包装箱１００の背面パネル１０２、上側面パネル１０４、下側面パネル１０５、第１横側面パネル１０６、及び第２横側面パネル１０８によって画定される空間内に配置されることになる。次いで、内部前面パネル１１０が、それが付着されている第１横側面パネル１０６に対して、内部前面パネル１１０が包装箱１００の中のベッドリネン１２２を少なくとも部分的に覆うように折られることになる。次いで、外部前面パネル１１２が、それが付着されている第２横側面パネル１０８に対して、外部前面パネル１１２が内部前面パネル１１０に隣接して配置されるように折られることになる。外部側面パネル１１４が外部前面パネル１１２に対して折られ、外部側面パネル１１４は隣接する第１横側面パネル１０６へ固定されることになる。
【００２９】
内部前面パネル１１０及び外部前面パネル１１２によって提供される二重折り前面は、ベッドリネン１２２及び／又は見本の布地材料を保護するのみならず、製造者に、ブランド確立、市場販売、及び製品に関する情報のためのより多くの空間を与え、しかも同時に製品の知覚体験も可能にさせる。外部前面パネル１１２は、箱１００を閉じるために横側面パネル１０６の途中まで延びる外部側面パネル１１４を含んでいる。外部前面パネル１２２が開かれると、内部前面パネル１１０が下に現れ、ブランド確立、市場販売、及び製品に関する情報のための追加の空間を露出させ、潜在的購入者がベッドリネン１２２又はベッドリネン布地の見本の触感を確かめられるようにする。
【００３０】
本開示の追加の非限定的な例としての実施形態を以下に示す。
【００３１】
実施形態１
包装箱であって、背面パネル、上側面パネル、下側面パネル、第１横側面パネル、第２横側面パネル、第１前面パネル、及び、自身の縁を第１横側面パネルと第２横側面パネルのうちの一方の縁へ付着されていてそれに対して折れるように構成されている第２前面パネル、を含み、第１前面パネルは、包装箱が閉構成にあるときに包装箱の中に密閉される内部前面パネルとなる大きさ及び構成であり、第２前面パネルは、包装箱が閉構成にあるときに包装箱の外部に露出する外部前面パネルとなる大きさ及び構成であり、外部前面パネルは、包装箱が閉構成にあるときに第１横側面パネルと第２横側面パネルのうちの一方に隣接して位置する構成の外部側面パネルを更に含んでおり、外部側面パネルは、包装箱が閉構成にあるときに外部側面パネルを第１横側面パネルと第２横側面パネルのうちの隣接する一方へ固定する少なくとも１つの付着装置を含んでいる、包装箱と、包装箱内に配置されている少なくとも１つのベッドリネンと、を備えている包装されたベッドリネン。
【００３２】
実施形態２
実施形態１の包装されたベッドリネンにおいて、第１横側面パネルと第２横側面パネルのうちの隣接する一方は、包装箱が閉構成にあるときに外部側面パネルの少なくとも１つの付着装置へ引き付けられるか又は連結されるように位置付けられ構成されている少なくとも１つの追加の付着装置を備えている、包装されたベッドリネン。
【００３３】
実施形態３
実施形態２の包装されたベッドリネンにおいて、少なくとも１つの付着装置か又は少なくとも１つの追加の付着装置の少なくとも一方は永久磁石を備えている、包装されたベッドリネン。
【００３４】
実施形態４
実施形態２の包装されたベッドリネンにおいて、少なくとも１つの付着装置はフック・アンド・ループ材料の一方の構成要素を備え、少なくとも１つの追加の付着装置はフック・アンド・ループ材料のもう一方の構成要素を備えており、フック・アンド・ループ材料の構成要素は、包装箱が閉構成にあるときに互いへ付着されるように位置付けられ構成されている、包装されたベッドリネン。
【００３５】
実施形態５
実施形態２の包装されたベッドリネンにおいて、少なくとも１つの付着装置はスナップ締結具の一方の構成要素を備え、少なくとも１つの追加の付着装置はスナップ締結具のもう一方の構成要素を備えており、スナップ締結具の構成要素は包装箱が閉構成にあるときに互いへ固定されるように位置付けられ構成されている、包装されたベッドリネン。
【００３６】
実施形態６
実施形態１から実施形態５の何れか一つの包装されたベッドリネンにおいて、内部前面パネルは、人が内部前面パネルを通して少なくとも１つのベッドリネンの布地に触れることを可能にするために貫通して延びている開口を有している、包装されたベッドリネン。
【００３７】
実施形態７
実施形態１から実施形態６の何れか一つの包装されたベッドリネンであって、内部前面パネルの外表面へ及び／又は外部前面パネルの内表面へ固定されている、少なくとも１つのベッドリネンの布地と同一の布地の見本、を更に備えている包装されたベッドリネン。
【００３８】
実施形態８
実施形態１から実施形態７の何れか一つの包装されたベッドリネンにおいて、内部前面パネルは、包装箱が閉構成にあるときに第１横側面パネルと第２横側面パネルのうちの一方の内部側面に隣接して位置する構成の内部側面パネルを更に備えている、包装されたベッドリネン。
【００３９】
実施形態９
実施形態１から実施形態８の何れか一つの包装されたベッドリネンにおいて、少なくとも１つのベッドリネンは、フラットベッドシーツ、ボックス型ベッドシーツ、枕ケース、又はマットレスプロテクターのうちの少なくとも１つを備えている、包装されたベッドリネン。
【００４０】
実施形態１０
実施形態１から実施形態９の何れか一つの包装されたベッドリネンにおいて、少なくとも１つのベッドリネンは、フラットベッドシーツ、ボックス型ベッドシーツ、及び１つ又は２つの枕ケースからなっている、包装されたベッドリネン。
【００４１】
実施形態１１
実施形態１から実施形態９の何れか一つの包装されたベッドリネンにおいて、少なくとも１つのベッドリネンはマットレスプロテクターからなっている、包装されたベッドリネン。
【００４２】
実施形態１２
ベッドリネンを包装する方法であって、実施形態１から実施形態１１の何れか一つに記載の包装箱を形成するか又はそれ以外のやり方で提供する段階と、少なくとも１つのベッドリネンを、包装箱の背面パネル、上側面パネル、下側面パネル、第１横側面パネル、及び第２横側面パネルによって画定される空間内に配置する段階と、内部前面パネルを、包装箱の中の少なくとも１つのベッドリネンを少なくとも部分的に覆うように位置決めする段階と、外部前面パネルを、第１横側面パネルと第２横側面パネルのうちのそれが付着されている一方に対して、外部前面パネルが内部前面パネルに隣接して配置されるように折る段階と、外部側面パネルを外部前面パネルに対して折る段階と、外部側面パネルを第１横側面パネルと第２横側面パネルのうちの隣接する一方へ固定する段階と、を備えている方法。
【００４３】
実施形態１３
実施形態１２の方法において、第１横側面パネルと第２横側面パネルのうちの隣接する一方は少なくとも１つの追加の付着装置を備え、外部側面パネルを第１横側面パネルと第２横側面パネルのうちの隣接する一方へ固定する段階は、少なくとも１つの付着装置を少なくとも１つの追加の付着装置へ連結するか又は引き付ける段階を備えている、方法。
【００４４】
実施形態１４
実施形態１２又は実施形態１３の方法であって、人が内部前面パネルを通して少なくとも１つのベッドリネンの布地に触れることを可能にするために内部前面パネルを貫通して延びる開口を形成する段階、を更に備えている方法。
【００４５】
実施形態１５
実施形態１２から実施形態１４の何れか一つの方法であって、少なくとも１つのベッドリネンの布地と同一の布地の見本を内部前面パネルの外表面へ固定する段階、を更に備えている方法。
【００４６】
実施形態１６
実施形態１２から実施形態１５の何れか一つの方法において、包装箱を形成するか又はそれ以外のやり方で提供する段階は、内部前面パネルを、包装箱が閉構成にあるときに第１横側面パネルと第２横側面パネルのうちの一方の内部側面に隣接して位置する構成の内部側面パネルを備えるように形成する段階を更に備えている、方法。
【００４７】
実施形態１７
実施形態１２から実施形態１６の何れか一つの方法において、少なくとも１つのベッドリネンを空間内に配置する段階は、フラットベッドシーツ、ボックス型ベッドシーツ、枕ケース、又はマットレスプロテクターのうちの少なくとも１つを空間内に配置する段階を備えている、方法。
【００４８】
開示の実施形態は様々な修正型及び代替形態の余地がある。開示の実施形態の例示となる実例を提供するために具体的な実施形態を図面に示し、ここに詳細に説明してきた。但し、開示はここに開示されている特定の形態に限定されない。むしろ、開示の実施形態は、ここに広く定義されている開示の範囲内に入る全ての修正物、等価物、及び代替物を含み得る。また、ここに幾つかの実施形態と関連して説明されている要素及び特徴は、開示の他の実施形態に実施されてもよいし、開示の更に別の実施形態を提供するべくここに他の実施形態に関連して説明されている要素及び特徴と組み合わされてもよい。
【符号の説明】
【００４９】
１００  包装箱
１０２  背面パネル
１０４  上側面パネル
１０５  下側面パネル
１０６  第１横側面パネル
１０８  第２横側面パネル
１１０  第１前面パネル
１１１  開口
１１２  第２前面パネル
１１４  外部側面パネル
１１６、１１６'  付着装置
１１８  内部側面パネル
１２０  包装されたベッドリネン
１２２  ベッドリネン 
【図１】
2019533611.tif 000003
【図２Ａ】
2019533611.tif 000004
【図２Ｂ】
2019533611.tif 000005
【図３】
2019533611.tif 000006
【図４】
2019533611.tif 000007
【図５】
2019533611.tif 000008
【図６】
2019533611.tif 000009
【図７】
2019533611.tif 000010
【国際調査報告】
2019533611.tif 000011
2019533611.tif 000012